(57)【要約】      （修正有）【課題】排版装置において、収容部から取り出された孔版原紙を廃棄しやすくする。【解決手段】排版装置１は、孔版印刷装置の使用済みの孔版原紙Ｍを回収するための排版装置であって、孔版原紙Ｍを収容する収容部１０と、孔版原紙Ｍが収容部１０に搬入される搬入方向（Ｘ方向）に直交する孔版原紙Ｍの幅方向（Ｙ方向）に、収容部１０に収容された孔版原紙Ｍを圧縮する第１の圧縮部２０と、を備える。【選択図】図４Ａ
2018134823.tif 000002
【特許請求の範囲】
【請求項１】
孔版印刷装置の使用済みの孔版原紙を回収するための排版装置であって、
前記孔版原紙を収容する収容部と、
前記孔版原紙が前記収容部に搬入される搬入方向に直交する前記孔版原紙の幅方向に、前記収容部に収容された前記孔版原紙を圧縮する第１の圧縮部と、
を備えることを特徴とする排版装置。
【請求項２】
前記収容部に収容された前記孔版原紙を前記搬入方向に圧縮する第２の圧縮部を更に備え、
前記収容部は、当該収容部と前記第２の圧縮部との間に挟まれる前記孔版原紙側に突出する凸部を有する、
ことを特徴とする請求項１記載の排版装置。
【請求項３】
前記第２の圧縮部は、当該第２の圧縮部と前記収容部との間に挟まれる前記孔版原紙側に突出する凸部を有し、
前記第２の圧縮部及び前記収容部のうち少なくとも一方の少なくとも１つの前記凸部は、前記幅方向において、前記第２の圧縮部及び前記収容部のうち他方の２つの前記凸部の間に位置する、
ことを特徴とする請求項２記載の排版装置。
【請求項４】
前記孔版印刷装置に対して前記収容部を着脱するための持ち手部を更に備え、
前記持ち手部は、前記第１の圧縮部に連結され、当該第１の圧縮部とともに前記幅方向にスライド可能である、
ことを特徴とする請求項１から３のいずれか１項記載の排版装置。
【請求項５】
前記幅方向のうち前記孔版原紙を圧縮する向きに前記第１の圧縮部を付勢する付勢機構と、
前記付勢機構による付勢力に抗して前記孔版原紙を圧縮する向きとは反対向きに移動した状態の前記第１の圧縮部を保持するための保持部と、
を更に備えることを特徴とする請求項１から４のいずれか１項記載の排版装置。
【発明の詳細な説明】
【技術分野】
【０００１】
本発明は、孔版印刷装置の使用済みの孔版原紙を回収するための排版装置に関する。
【背景技術】
【０００２】
従来、使用済みの孔版原紙を収容する収容部における孔版原紙の収容量を確保するために、収容された孔版原紙を、収容部への搬入方向に圧縮する排版装置が提案されている（例えば、特許文献１参照）。
【０００３】
上記の収容部は、孔版原紙の収容量が所定量以上になった後、ユーザによって孔版印刷装置から取り外される。また、収容部に収容された孔版原紙は、ユーザによって廃棄される。
【先行技術文献】
【特許文献】
【０００４】
【特許文献１】特開２００２−３３７４３９号公報
【発明の概要】
【発明が解決しようとする課題】
【０００５】
しかしながら、孔版原紙が上述のように収容部への搬入方向に圧縮されても、この搬入方向に直交する孔版原紙の幅方向の長さはそのままである。そのため、特に、孔版原紙がＡ２サイズなどの大きいサイズであると、収容部から取り出された孔版原紙が廃棄場所となるゴミ箱に収まらないことがあるなど孔版原紙の廃棄が困難な場合がある。
【０００６】
本発明の目的は、収容部から取り出された孔版原紙を廃棄しやすくすることができる排版装置を提供することである。
【課題を解決するための手段】
【０００７】
第１の態様では、排版装置は、孔版印刷装置の使用済みの孔版原紙を回収するための排版装置であって、前記孔版原紙を収容する収容部と、前記孔版原紙が前記収容部に搬入される搬入方向に直交する前記孔版原紙の幅方向に、前記収容部に収容された前記孔版原紙を圧縮する第１の圧縮部と、を備える。
【０００８】
第２の態様では、排版装置は、第１の態様の排版装置であって、前記収容部に収容された前記孔版原紙を前記搬入方向に圧縮する第２の圧縮部を更に備え、前記収容部は、当該収容部と前記第２の圧縮部との間に挟まれる前記孔版原紙側に突出する凸部を有する。
【０００９】
第３の態様では、排版装置は、第２の態様の排版装置であって、前記第２の圧縮部は、当該第２の圧縮部と前記収容部との間に挟まれる前記孔版原紙側に突出する凸部を有し、前記第２の圧縮部及び前記収容部のうち少なくとも一方の少なくとも１つの前記凸部は、前記幅方向において、前記第２の圧縮部及び前記収容部のうち他方の２つの前記凸部の間に位置する。
【００１０】
第４の態様では、排版装置は、第１〜第３のいずれかの態様の排版装置であって、前記孔版印刷装置に対して前記収容部を着脱するための持ち手部を更に備え、前記持ち手部は、前記第１の圧縮部に連結され、当該第１の圧縮部とともに前記幅方向にスライド可能である。
【００１１】
第５の態様では、排版装置は、第１〜第４のいずれかの態様の排版装置であって、前記幅方向のうち前記孔版原紙を圧縮する向きに前記第１の圧縮部を付勢する付勢機構と、前記付勢機構による付勢力に抗して前記孔版原紙を圧縮する向きとは反対向きに移動した状態の前記第１の圧縮部を保持するための保持部と、を更に備える。
【発明の効果】
【００１２】
第１の態様によれば、孔版原紙が搬入方向に直交する幅方向に圧縮されることで孔版原紙の幅方向の長さを短くすることができるため、収容部から取り出された孔版原紙を廃棄しやすくすることができる。
【００１３】
第２の態様によれば、第２の圧縮部によって搬入方向に圧縮される孔版原紙を、搬入方向に凹凸状となるようにクセ付けすることができるため、第１の圧縮部によって孔版原紙を圧縮しやすくすることができる。
【００１４】
第３の態様によれば、第２の圧縮部によって搬入方向に圧縮される孔版原紙を、例えば、Ｗ字形状、蛇腹形状、Ｖ字形状などにクセ付けすることができるため、より一層、第１の圧縮部によって孔版原紙を圧縮しやすくすることができる。
【００１５】
第４の態様によれば、収容部を着脱するための持ち手部を用いて、第１の圧縮部を幅方向にスライドさせることができるため、ユーザが容易に、孔版原紙を幅方向に圧縮することができる。
【００１６】
第５の態様によれば、付勢機構による付勢力を用いて孔版原紙を幅方向に圧縮することができるとともに、孔版原紙Ｍを幅方向に圧縮しないときには第１の圧縮部を付勢力に抗して保持することができる。
【図面の簡単な説明】
【００１７】
【図１】第１実施形態に係る排版装置を備える孔版印刷装置を示す構成図である。
【図２】第１実施形態に係る排版装置を示す拡大断面図である。
【図３】第１実施形態に係る排版装置を示す斜視図である。
【図４Ａ】第１実施形態に係る排版装置を示す平面図（その１）である。
【図４Ｂ】第１実施形態に係る排版装置を示す平面図（その２）である。
【図５】第２実施形態に係る排版装置を説明するための平面図（その１）である。
【図６】第２実施形態に係る排版装置を示す拡大断面図（図７のVI-VI断面図）である。
【図７】第２実施形態に係る排版装置を説明するための平面図（その２）である。
【図８】第３実施形態に係る排版装置を示す平面図（その１）である。
【図９】図８のレバーをＡ方向から見た図である。
【図１０】第３実施形態に係る排版装置を示す拡大断面図（図８のＸ-Ｘ断面図）である。
【図１１】第３実施形態に係る排版装置を示す平面図（その２）である。
【発明を実施するための形態】
【００１８】
以下、本発明の第１〜第３実施形態に係る排版装置について、図面を参照しながら説明する。
＜第１実施形態＞
図１は、第１実施形態に係る排版装置１を備える孔版印刷装置１００を示す構成図である。
【００１９】
図１に示すように、孔版印刷装置１００は、排版装置１と、装置筐体１０１と、操作パネル部１０２と、原稿読取部１０３と、製版部１０４と、給紙部１０５と、カム駆動部１０６と、排紙部１０７と、制御部１０８と、印刷部１１０と、を備える。
【００２０】
装置筐体１０１の天面１０１ａには、操作パネル部１０２及び原稿読取部１０３が配置されている。また、装置筐体１０１の左側面１０１ｂには給紙部１０５が配置され、装置筐体１０１の右側面１０１ｃには排紙部１０７が配置されている。
【００２１】
操作パネル部１０２は、孔版印刷装置１００の各種操作を行うための操作キーなどを有し、孔版印刷装置１００の入力部として機能する。
原稿読取部１０３は、原稿から画像情報を読み取るスキャナを有する。
【００２２】
製版部１０４は、ロール状の孔版原紙（マスタ）Ｍに対して原稿読取部１０３から得られる画像情報に基づき感熱穿孔を行うサーマルヘッドと、感熱穿孔が行われた孔版原紙Ｍを切断するカッタと、を有する。
【００２３】
給紙部１０５は、用紙Ｓが積層される給紙台と、用紙Ｓを印刷部１１０に搬送する搬送部と、を有する。
印刷部１１０は、版胴１１１と、中心軸１１２と、エンコーダ１１３と、版胴モータ１１４と、クランプ板１１５と、跳ね上げ板１１６と、プレスローラ１１７と、剥離爪１１８と、を有する。
【００２４】
版胴１１１は、孔版原紙Ｍ及び用紙Ｓの幅方向に平行な中心軸１２を中心とした直径φＤの円筒状を呈する。版胴１１１の円筒状外周面１１１ａには、多数の孔が形成されている。
【００２５】
中心軸１１２には、インクＩＫを挿入するためのインク挿入口１１２ａが形成されている。インクＩＫは、版胴１１１の円筒状外周面１１１ａから滲み出る。
エンコーダ１１３は、版胴モータ１１４に取り付けられている。
【００２６】
版胴モータ１１４は、中心軸１１２を中心に図１における反時計回りに版胴１１１を回転させる。
クランプ板１１５は、版胴１１１の円筒状外周面１１１ａに設けられ、製版部２０から送られた製版済みの孔版原紙Ｍの先端側をクランプし、この孔版原紙Ｍを円筒状外周面３１ａに沿って巻回させる。
【００２７】
跳ね上げ板１１６は、版胴１１１の円筒状外周面１１１ａに設けられ、使用済みの孔版原紙Ｍの先端を円筒状外周面１１１ａから排版装置１に向けて跳ね上げる。このように跳ね上げられた孔版原紙Ｍは、排版装置１の図示しない排版ローラによって排版装置１の収容部１０に搬入される。
【００２８】
プレスローラ１１７は、版胴１１１の下方に設けられ、版胴１１１において巻回される孔版原紙Ｍに用紙Ｓを押し付ける。
剥離爪１１８は、版胴１１１の右下方に設けられ、印刷部１１０において印刷された用紙Ｓを孔版原紙Ｍ（版胴１１１）から剥離する。
【００２９】
カム駆動部１０６は、クランプ板１１５のクランプの開閉及び跳ね上げ板１１６の跳ね上げを行うための図示しないカムを駆動する。
排紙部１０７は、印刷部１１０から搬送される印刷済みの用紙Ｓを装置筐体１０１から排出する。
【００３０】
制御部１０８は、例えば、孔版印刷装置１００全体の動作を制御する演算処理装置として機能するＣＰＵ（Central Processing Unit）と、ＲＯＭ（Read only memory）、ＲＡＭ（Random Access Memory）等の記憶部と、を有する。
【００３１】
図２は、排版装置１を示す拡大断面図である。
図３は、排版装置１を示す斜視図である。
図４Ａ及び図４Ｂは、排版装置１を示す平面図である。
【００３２】
なお、図２〜図４Ｂに示すＸ方向、Ｙ方向、及びＺ方向は、互いに直交する。Ｘ方向は、孔版原紙Ｍが収容部１０に搬入される搬入方向（副走査方向）に対応する。また、Ｙ方向は、搬入方向（Ｘ方向）に直交する孔版原紙Ｍの幅方向（主走査方向）に対応する。また、Ｚ方向は、高さ方向（鉛直方向）に対応する。但し、Ｘ方向、Ｙ方向、及びＺ方向は、説明の便宜上付すものにすぎず、例えば、搬入方向（Ｘ方向）は水平方向とは限らない。
【００３３】
図２〜図４Ｂに示すように、排版装置１は、上述の孔版印刷装置１００の使用済みの孔版原紙Ｍを回収するための排版装置であって、収容部１０と、例えば２つの第１の圧縮部２０，２０と、を備える。また、排版装置１は、第２の圧縮部３０と、例えば２つずつの持ち手部４１，４１及び連結アーム４２，４２と、を更に備えるとよい。
【００３４】
収容部１０は、孔版印刷装置１００に対して着脱自在に配置され、使用済みの孔版原紙Ｍを収容する。なお、収容部１０が収容可能な孔版原紙Ｍの版数は、収容部１０の大きさ等によって決定されるが、一例としては１００版程度である。また、図１に示す制御部１０８は、例えば孔版印刷装置１００に設けられたカウンタや後述する第２の圧縮部３０の圧縮時の負荷を検知する機構から取得する情報によって、収容部１０が満杯であると判定すると、収容部１０が満杯であることをユーザに報知する。この報知に基づき、ユーザは、収容部１０を孔版印刷装置１００から取り外し、使用済みの孔版原紙Ｍを廃棄する。
【００３５】
収容部１０は、正面板１１、底面板１２、左側面板１４、右側面板１５、及び天板１６を有するが、図３に示すように、背面、左側面（左側面板１４）、右側面（右側面板１５）、及び上面（天板１６）に亘って開口している。なお、収容部１０における正面（正面板１１）は、図１に示す装置筐体１０１の左側面１０１ｂに相当する。
【００３６】
図３及び図４Ａに示すように、収容部１０の正面板１１は、収容部１０と第２の圧縮部３０との間に挟まれる孔版原紙Ｍ側に突出する凸部１１ａを有する。一例ではあるが、この凸部１１ａは、孔版原紙Ｍの幅方向（Ｙ方向）の３箇所のそれぞれにおいて、上下２つずつ計６つ配置され、平面視三角形状に正面板１１から突出する。
【００３７】
また、図３に示すように、正面板１１には、孔版原紙Ｍの幅方向（Ｙ方向）に延びるスライド溝１１ｂが設けられている。このスライド溝１１ｂは、第１の圧縮部２０と持ち手部４１とを連結する連結アーム４２が孔版原紙Ｍの幅方向（Ｙ方向）にスライドするための溝である。本第１実施形態では、第１の圧縮部２０が２つ配置されるため、スライド溝１１ｂも２つ設けられている。
【００３８】
第１の圧縮部２０は、例えば孔版原紙Ｍの幅方向（Ｙ方向）に互いに対向するように２つ配置されている。第１の圧縮部２０は、例えばＸ方向及びＺ方向に拡がる板状の圧縮板である。第１の圧縮部２０の先端側（正面板１１とは反対側）には、先端屈曲部２１が設けられている。この先端屈曲部２１は、２つの第１の圧縮部２０の先端が互いに近づく傾斜面となるように屈曲されて形成されている。
【００３９】
第１の圧縮部２０は、孔版原紙Ｍの幅方向（Ｙ方向）に、収容部１０に収容された孔版原紙Ｍを圧縮する圧縮位置Ｐ２（図４Ｂ参照）と、この圧縮位置Ｐ２から退避した退避位置Ｐ２（図３及び図４Ａ参照）とに移動可能である。２つの第１の圧縮部２０は、圧縮位置Ｐ２において孔版原紙Ｍを挟み込んで圧縮する。但し、第１の圧縮部２０は、１つのみ配置されていてもよい。この場合でも、単一の第１の圧縮部２０が左側面板１４又は右側面板１５との間で孔版原紙Ｍを挟み込んで圧縮することができる。また、１つのみ第１の圧縮部２０が配置される場合には、２つの第１の圧縮部２０が配置される場合と比較して部品点数を減らすことができる。
【００４０】
図２に示すように、第２の圧縮部３０は、圧縮板３１と、回動軸３２と、を有する。
圧縮板３１のうち先端側（回動軸３２とは反対側）には、例えば複数の爪３１ａが孔版原紙Ｍの幅方向（Ｙ方向）に互いに間隔を隔てて設けられている。また、図２には図示しないが、図４Ａに示すように、圧縮板３１には、第２の圧縮部３０と収容部１０との間に挟まれる孔版原紙Ｍ側に突出する凸部３１ｂを有する。この凸部３１ｂは、例えば、複数の爪３１ａのうちの一部の爪３１ａの向きを変更することにより形成されている。
【００４１】
図４Ａに示すように、凸部３１ｂは、例えば、孔版原紙Ｍの幅方向（Ｙ方向）において、正面板１１の３つの凸部１１ａと交互に並んで位置するように２箇所に配置されている。このように、圧縮板３１の凸部３１ｂと正面板１１の凸部１１ａとのうち少なくとも一方は、孔版原紙Ｍの幅方向（Ｙ方向）において他方の２つの凸部１１ａ，３１ｂの間に位置するとよい。
【００４２】
回動軸３２は、図示しないモータに接続され、圧縮板３１を回動させる。これにより、第２の圧縮部３０は、収容部１０に収容された孔版原紙Ｍを圧縮板２１によって圧縮する図４Ａに示す圧縮位置と、この圧縮位置から退避した図２に示す退避位置とに移動する。圧縮板３１によって圧縮された孔版原紙Ｍは、収容部１０における奥（図４Ａにおける下方である正面板１１側）に押し込まれる。これにより、孔版原紙Ｍの収容スペースが減容される。
【００４３】
図２、図４Ａ、及び図４Ｂに示すように、２つの持ち手部４１，４１は、孔版印刷装置１００（排版装置１）に対して収容部１０（及び第１の圧縮部２０）を着脱するための持ち手部であり、正面板１１よりも正面側に位置する。また、２つのアーム部４１，４１は、それぞれ連結アーム４２を介して第１の圧縮部２０に連結されている。一例ではあるが、持ち手部４１は、高さ方向（Ｚ方向）に中心軸を有する円柱形状を呈する。
【００４４】
図４Ａ及び図４Ｂに示すように、持ち手部４１は、上述のように連結アーム４２が正面板１１のスライド溝１１ｂに沿って孔版原紙Ｍの幅方向（Ｙ方向）にスライドすることで、第１の圧縮部２０とともに孔版原紙Ｍの幅方向（Ｙ方向）に移動可能である。これにより、ユーザは、例えば収容部１０を孔版印刷装置１００から取り外す直前に、持ち手部４１を握って持ち手部４１を手動でスライドさせることで、図４Ｂに示すように、第１の圧縮部２０を圧縮位置Ｐ２に移動させ、孔版原紙Ｍを幅方向（Ｙ方向）に圧縮することができる。なお、収容部１０を孔版印刷装置１００から取り外した後に孔版原紙Ｍを幅方向（Ｙ方向）に圧縮してもよい。
【００４５】
図５の例では、圧縮時の孔版原紙ＭがＷ字形状となっているが、例えば、蛇腹形状、Ｖ字（Ｕ字）形状などであってもよい。また、図５の例では、４版のみ孔版原紙Ｍを示すが、実際にはより多くの孔版原紙Ｍが収容された状態で収容部１０が孔版印刷装置１００から取り外されるため、取り外し前後に幅方向（Ｙ方向）に圧縮される際にも、より多くの孔版原紙Ｓが収容されている。
【００４６】
以上説明した第１実施形態では、排版装置１は、孔版印刷装置１００の使用済みの孔版原紙Ｍを回収するための排版装置であって、孔版原紙Ｍを収容する収容部１０と、孔版原紙Ｍが収容部１０に搬入される搬入方向（Ｘ方向）に直交する孔版原紙Ｍの幅方向（Ｙ方向）に、収容部１０に収容された孔版原紙Ｍを圧縮する第１の圧縮部１０と、を備える。
【００４７】
これにより、孔版原紙Ｍが搬入方向（Ｘ方向）に直交する幅方向（Ｙ方向）に圧縮されることで、孔版原紙Ｍの幅方向（Ｙ方向）の長さを短くすることができる。よって、第１実施形態によれば、収容部１０から取り出された孔版原紙Ｍを廃棄しやすくすることができる。
【００４８】
また、第１実施形態では、第２の圧縮部３０は、収容部１０に収容された孔版原紙Ｍを搬入方向（Ｘ方向）に圧縮する。収容部１０は、この収容部１０と第２の圧縮部３０との間に挟まれる孔版原紙Ｍ側に突出する凸部１１ａを有する。これにより、第２の圧縮部３０によって搬入方向（Ｘ方向）に圧縮される孔版原紙Ｍを、搬入方向（Ｘ方向）に凹凸状となるようにクセ付けすることができる。したがって、第１の圧縮部２０によって孔版原紙Ｍを圧縮しやすくすることができる。
【００４９】
また、第１実施形態では、第２の圧縮部３０は、この第２の圧縮部３０と収容部１０との間に挟まれる孔版原紙Ｍ側に突出する凸部３１ｂを有し、第２の圧縮部３０及び収容部１０のうち少なくとも一方の少なくとも１つの凸部３１ｂ，１１ａは、孔版原紙Ｍの幅方向（Ｙ方向）において、第２の圧縮部３０及び収容部１０のうち他方の２つの凸部１１ａ，３１ｂの間に位置する。これにより、第２の圧縮部３０によって搬入方向（Ｘ方向）に圧縮される孔版原紙Ｍを、例えば、Ｗ字形状、蛇腹形状、Ｖ字形状などにクセ付けすることができる。したがって、より一層、第１の圧縮部２０によって孔版原紙Ｍを圧縮しやすくすることができる。
【００５０】
また、第１実施形態では、孔版印刷装置１００に対して収容部１０を着脱するための持ち手部４１は、第１の圧縮部２０に連結され、この第１の圧縮部２０とともに孔版原紙Ｍの幅方向（Ｙ方向）にスライド可能である。これにより、収容部１０を着脱するための持ち手部４１を用いて、第１の圧縮部２０を孔版原紙Ｍの幅方向（Ｙ方向）にスライドさせることができるため、ユーザが容易に、孔版原紙Ｍを幅方向（Ｙ方向）に圧縮することができる。
【００５１】
＜第２実施形態＞
図５及び図７は、第２実施形態に係る排版装置２を説明するための平面図である。
図６は、排版装置２を示す拡大断面図（図７のVI-VI断面図）である。
【００５２】
第２実施形態では、排版装置２が圧縮バネ５０（付勢機構の一例）及びコロ６１（保持部の一例）を更に備える構成及びこの構成に関連する構成において上述の第１実施形態と相違し、その他の構成は上述の第１実施形態と同様にすることができるため、相違する構成を中心に説明する。
【００５３】
図５及び図７に示すように、圧縮バネ５０は、左側面板１４と一方の第１の圧縮部２０との間、及び、右側面板１５と他方の第１の圧縮部２０との間のそれぞれに計２つ配置されている。圧縮バネ５０の伸縮方向は、孔版原紙Ｍの幅方向（Ｙ方向）に一致している。
【００５４】
圧縮バネ５０は、孔版原紙Ｍの幅方向（Ｙ方向）のうち孔版原紙Ｍを圧縮する向きに第１の圧縮部２０を付勢する。つまり、２つの圧縮バネ５０は、２つの第１の圧縮部２０を、孔版原紙Ｍを挟み込むように付勢する。なお、本第２実施形態及び後述する第３実施形態では、圧縮バネ５０を用いて第１の圧縮部２０を移動させる構成について説明するが、第１の圧縮部２０を移動させるためには、モータ等の駆動手段を用いることも可能である。
【００５５】
図６に示すように、２つのコロ（転動部材）６１，６１のそれぞれは、高さ方向（Ｚ方向）に延びる連結軸６２を介して第１の圧縮部２０の底面に固定されている。コロ６１は、連結軸６２を中心に回動する。
【００５６】
図６に示すように、収容部１０の底面板１２の下部には、図５及び図７では破線（かくれ線）で示す底面スライダ１３が固定されている。この底面スライダ１３は、孔版原紙Ｍの幅方向（Ｙ方向）における底面板１２の中心に配置された板状又はブロック状の部材である。
【００５７】
図５及び図７に示すように、底面スライダ１３は、収容部１０が図１に示す孔版印刷装置１００（排版装置１）に装着される際に、２点鎖線（想像線）で示す装置筐体１０１に設けられた破線（かくれ線）で示す２つのコロガイド部材（カム）１０１ｄの間に挿入される。これらのコロガイド部材１０１ｄは、例えば平面視台形状を呈する。
【００５８】
上述のコロ６１は、収容部１０が孔版印刷装置１００に装着される際に、コロガイド部材１０１ｄのうち平面視において傾斜面となる傾斜ガイド面１０１ｄ−１に沿って転動する。なお、コロ６１の転動のために、底面板１２には、連結軸６２をスライドさせる図示しないスライド溝が形成されている。
【００５９】
図７に示すように、コロ６１の転動に伴い、連結軸６２を介してコロ６１と固定された第１の圧縮部２０も、圧縮バネ５０による付勢力に抗して、孔版原紙Ｍを圧縮する向きとは反対向きに移動する。また、コロガイド部材１０１ｄは、収容部１０が孔版印刷装置１００に装着された状態では、コロ６１が孔版原紙Ｍを圧縮する向きに移動するのを傾斜ガイド面１０１ｄ−１において阻止する。そのため、圧縮バネ５０による付勢力に抗して移動した状態の第１の圧縮部２０が、コロ６１及びコロガイド部材１０１ｄによって保持される。なお、収容部１０が孔版印刷装置１００から取り外された際には、コロガイド部材１０１ｄによるコロ６１のロックが解除されるため、図５に示すように、コロ６１に連結された第１の圧縮部２０は、圧縮バネ５０の付勢力によって孔版原紙Ｍを圧縮する向きに付勢される。
【００６０】
以上説明した第２実施形態では、上述の第１実施形態と同様の構成に関しては同様の効果を得ることができる。
また、第２実施形態に係る排版装置２は、孔版原紙Ｍの幅方向（Ｙ方向）のうち孔版原紙Ｍを圧縮する向きに第１の圧縮部２０を付勢する圧縮バネ（付勢機構の一例）５０と、この付勢機構５０による付勢力に抗して孔版原紙Ｍを圧縮する向きとは反対向きに移動した状態の第１の圧縮部２０を保持するためのコロ（保持部の一例）６１と、を備える。これにより、圧縮バネ５０による付勢力を用いて孔版原紙Ｍを幅方向（Ｙ方向）に圧縮することができるとともに、幅方向（Ｙ方向）に孔版原紙Ｍを圧縮しないときには第１の圧縮部２０を付勢力に抗して保持することができる。
【００６１】
＜第３実施形態＞
図８及び図１１は、第３実施形態に係る排版装置３を示す平面図である。
図９は、図８のレバー７３をＡ方向から見た図である。
図１０は、排版装置３を示す拡大断面図（図８のＸ-Ｘ断面図）である。
【００６２】
第３実施形態では、主に、排版装置３が圧縮バネ５０（付勢機構の一例）及びロック機構７０（保持部の一例）を更に備える構成及びこの構成に関連する構成において、上述の第１実施形態と相違し、その他の構成は上述の第１実施形態と同様にすることができるため、相違する構成を中心に説明する。
【００６３】
図８に示すように、圧縮バネ５０は、左側面板１４と一方の第１の圧縮部２０との間、及び、右側面板１５と他方の第１の圧縮部２０との間のそれぞれに計２つ配置されている。圧縮バネ５０の伸縮方向は、孔版原紙Ｍの幅方向（Ｙ方向）に一致している。
【００６４】
圧縮バネ５０は、孔版原紙Ｍの幅方向（Ｙ方向）のうち孔版原紙Ｍを圧縮する向きに第１の圧縮部２０を付勢する。つまり、２つの圧縮バネ５０は、２つの第１の圧縮部２０を、孔版原紙Ｍを挟み込むように付勢する。
【００６５】
図８及び図１０に示すように、ロック機構７０は、２つの押さえ板（押さえ部材）７１と、回動軸７２と、２つのレバー７３と、を有する。２つの押さえ板７１，７１及び２つのレバー７３，７３は、回動軸７２と一体に回動するように回動軸７２に固定されている。
【００６６】
２つの押さえ板７１，７１は、例えば板状を呈し、孔版原紙Ｍの幅方向（Ｙ方向）における第１の圧縮部２０の内側に配置されている。図１０に示すように、押さえ板７１には、突出部７１ａが設けられている。押さえ板７１は、この突出部７１ａにおいて、圧縮バネ５０の付勢力に抗して孔版原紙Ｍを圧縮する向きとは反対向きに移動した状態（退避位置Ｐ１）の第１の圧縮部２０を保持する。なお、ロック機構７０は、例えばトーションバネによって、突出部７１ａが第１の圧縮部２０を押さえる向き（図１０における時計回り）に付勢されているとよい。
【００６７】
収容部１０を孔版印刷装置１００から取り外す際にユーザが正面側から押さえ板７１を下方に押圧すると、突出部７１ａが、第１の圧縮部２０を保持する位置から退避した位置へ回動し（図１０における反時計回り）、突出部７１ａによる第１の圧縮部２０の保持が解除される。これにより、図１１に示すように、第１の圧縮部２０は、圧縮バネ５０によって、孔版原紙Ｍを圧縮する向き（退避位置Ｐ１）に移動する。
【００６８】
２つのレバー７３は、収容部１０の左側面板１４及び右側面板１５のそれぞれの外周面に配置されている。図９（図８のレバー７３をＡ方向から見た図）に示すように、レバー７３の先端側（回動軸７２とは反対側）には、図１に示す孔版印刷装置１００に固定された固定ピン１２０に係合する爪７３ａが設けられている。レバー７３は、図９における時計回りに付勢されているため、爪７３ａが固定ピン１２０と係合することによって排版装置１が孔版印刷装置１００に対して固定される。但し、上述のようにユーザが押さえ板７１を正面側から下方に押圧すると、突出部７１ａによる第１の圧縮部２０の保持が解除されるのと同時に、レバー７３による固定ピン１２０との係合も解除され、収容部１０を孔版印刷装置１００から取り外すことができるようになる。
【００６９】
収容部１０を取り外した後に改めて孔版印刷装置１００に装着する際には、第１の圧縮部２０を退避位置Ｐ１に手動で移動させ、押さえ板７１の突出部７１ａによって第１の圧縮部２０が押さえられるようにするとよい。なお、収容部１０を孔版印刷装置１００に装着する際には、レバー７３の爪７３ａが固定ピン１２０に押圧されて、図９における反時計回りにロック機構７０が少し回動するが、この回転量によっては押さえ板７１の突出部７１ａによる第１の圧縮部２０の保持は解除されない。
【００７０】
以上説明した第３実施形態では、上述の第１実施形態と同様の構成に関しては同様の効果を得ることができる。
また、第３実施形態に係る排版装置３は、孔版原紙Ｍの幅方向（Ｙ方向）のうち孔版原紙Ｍを圧縮する向きに第１の圧縮部２０を付勢する付勢機構の一例である圧縮バネ５０と、この付勢機構５０による付勢力に抗して孔版原紙Ｍを圧縮する向きとは反対向きに移動した状態の第１の圧縮部２０を保持するためのロック機構７０と、を備える。これにより、圧縮バネ５０による付勢力を用いて孔版原紙Ｍを幅方向（Ｙ方向）に圧縮することができるとともに、幅方向（Ｙ方向）に孔版原紙Ｍを圧縮しないときには第１の圧縮部２０を付勢力に抗して保持することができる。
【００７１】
なお、本発明は、上述の第１〜第３実施形態そのままに限定されるものではなく、実施段階でその要旨を逸脱しない範囲で構成要素を変形して具体化することができる。また、上述の第１〜第３実施形態に開示されている複数の構成要素の適宜な組み合わせにより、種々の発明を形成することができる。例えば、第１〜第３実施形態に示される全構成要素を適宜組み合わせても良い。このような、発明の趣旨を逸脱しない範囲内において種々の変形や応用が可能であることはもちろんである。
【符号の説明】
【００７２】
１，２，３      排版装置
１０      収容部
１１      正面板
１１ａ      凸部
１１ｂ      スライド溝
１２      底面板
１３      底面スライダ
１４      左側面板
１５      右側面板
１６      天板
２０      第１の圧縮部
２１      先端屈曲部
３０      第２の圧縮部
３１      圧縮板
３１ａ      爪
３１ｂ      凸部
３２      回動軸
４１      持ち手部
４２      連結アーム
５０      圧縮バネ
６１      コロ
６２      連結軸
７０      ロック機構
７１      押さえ板
７１ａ      突出部
７２      回動軸
７３      レバー
７３ａ      爪
１００      孔版印刷装置
１０１      装置筐体
１０１ａ      天面
１０１ｂ      左側面
１０１ｃ      右側面
１０１ｄ      コロガイド部材
１０１ｄ−１      傾斜ガイド面
１０２      操作パネル部
１０３      原稿読取部
１０４      製版部
１０５      給紙部
１０６      カム駆動部
１０７      排紙部
１０８      制御部
１１０      印刷部
１１１      版胴
１１１ａ      円筒状外周面
１１２      中心軸
１１２ａ      インク挿入口
１１３      エンコーダ
１１４      版胴モータ
１１５      クランプ板
１１６      跳ね上げ板
１１７      プレスローラ
１１８      剥離爪
１２０      固定ピン
Ｍ      孔版原紙（マスタ）
Ｓ      用紙
【図１】
2018134823.tif 000003
【図２】
2018134823.tif 000004
【図３】
2018134823.tif 000005
【図４Ａ】
2018134823.tif 000006
【図４Ｂ】
2018134823.tif 000007
【図５】
2018134823.tif 000008
【図６】
2018134823.tif 000009
【図７】
2018134823.tif 000010
【図８】
2018134823.tif 000011
【図９】
2018134823.tif 000012
【図１０】
2018134823.tif 000013
【図１１】
2018134823.tif 000014